(57)【要約】      （修正有）【課題】部品が少なく操作が簡単で楽に抜き出しできるイージー・ネットワークコネクタを提供する。【解決手段】イージー・ネットワークコネクタは、雄コネクタ本体１及び雄コネクタ本体と可動連接する保護カバー２を含む。雄コネクタ本体の一方の側には弾性係合爪３が設置され、他方の側に接合した支持フレーム５には弾性係合爪と掛合する可動係合部材４が設置される。保護カバーを後ろ向きに引くと可動係合部材が動いて回転し弾性係合爪を押し、イージー・ネットワークコネクタを抜き出す。保護カバーを緩めると、弾性係合爪の弾性によって力が回復し、保護カバーを元の位置に戻す。更に工具９を含み、工具はハンドル部９１を備え、工具の一端に、係止部９２１を設置して保護カバーの凹槽２５内に挿入し、より楽に保護カバーを後方へ引くのに用いることができる。【選択図】図７
0003194922.tif 000002
【実用新案登録請求の範囲】
【請求項１】
雄コネクタ本体及び該雄コネクタ本体と可動連接する保護カバーを含み、そのうち雄コネクタ本体はケーブルの一端に電気連接し、且つ該雄コネクタ本体の一方の側は弾性係合爪を設置し、該雄コネクタ本体の他方の側は支持フレームに接合し、該支持フレームは前述保護カバーに可動連接するのに用い、該保護カバーはケーブルの他端から挿入して出るイージー・ネットワークコネクタにおいて、
該支持フレームは弾性係合爪と掛合する可動係合部材を設置し、該可動係合部材は、軸と該支持フレームに設置した枢設槽によって可動連接し、前述保護カバーは該可動係合部材の下方部に連動された連動部を設置し、更に保護カバーを後方へ引くだけで、保護カバーの連動部が可動係合部材を回転させ、該可動係合部材の上方部が弾性係合爪を下へ押圧し、また保護カバーをゆるめると、弾性係合爪の弾性力が回復し保護カバーが自動的に元の位置に回復することを特徴とするイージー・ネットワークコネクタ。
【請求項２】
前記イージー・ネットワークコネクタは、更に工具を含み、該工具はハンドル部を備え、且つ該工具の一端は、一もしくは一以上の係止部を設置して前述保護カバーに設置した凹槽内に挿入し、保護カバーを後方へ引くのに用いることを特徴とする請求項１記載のイージー・ネットワークコネクタ。
【請求項３】
前記工具は、一端に相対する両壁面を備え、且つ該両壁面にはそれぞれ一もしくは一以上の係止部を設置して保護カバー両側に設置した凹槽内に挿入し、保護カバーを後方へ引くのに用いることを特徴とする請求項２記載のイージー・ネットワークコネクタ。
【請求項４】
雄コネクタ本体及び該雄コネクタ本体と可動連接する保護カバーを含み、そのうち雄コネクタ本体はケーブルの一端に電気連接し、且つ該雄コネクタ本体の一方の側は弾性係合爪を設置し、該雄コネクタ本体の他方の側は支持フレームに接合し、該支持フレームは前述保護カバーに可動連接するのに用い、該保護カバーはケーブルの他端から挿入して出るイージー・ネットワークコネクタにおいて、
該支持フレームは弾性係合爪と掛合する可動係合部材を設置し、該可動係合部材は、軸と該支持フレームに設置した枢設槽によって可動連接し、前述保護カバーは該可動係合部材の下方部に連動された連動部を設置し、更に保護カバーを後方へ引くだけで、保護カバーの連動部が可動係合部材を回転させ、該可動係合部材の上方部が弾性係合爪を下へ押圧し、また保護カバーをゆるめると、弾性係合爪の弾性力が回復し保護カバーが自動的に元の位置に回復し、且つ更に工具を含み、該工具はハンドル部を備え、且つ該工具の一端は一もしくは一以上の係止部を備えて前述保護カバーに設置した凹槽内に挿入し、保護カバーを後方へ引くのに用いることを特徴とするイージー・ネットワークコネクタ。
【考案の詳細な説明】
【技術分野】
【０００１】
本考案は、イージー・ネットワークコネクタに関するもので、特に、抜き出すのが便利なイージー・ネットワークコネクタであり、且つユーザーが選択して使用する工具を含み、更に楽に抜き出しできるイージー・ネットワークコネクタに係る。
【背景技術】
【０００２】
コネクタの安全構造は、弾性係合爪を備え、その雄コネクタは雌コネクタ内に対応して差し込み、データ伝送を行う連接部品である。
現在、市場にあるコネクタ安全構造は主に雄コネクタ本体、保護カバー及びケーブルを含み、ケーブルの一方の側(側部)に保護カバーを差し込み雄コネクタ本体内に入れて雄コネクタと電気連接する。雄コネクタ本体の一方の側(側部)には弾性係合爪を設置し、コネクタは掛合孔に差し込んだ後、弾性係合爪が掛合孔内で掛合し、コネクタを引き抜く場合、弾性係合爪を下へ押圧しながらコネクタを引き抜く必要がある。
この種のコネクタは人の手が触れにくい場所に設置する時、ユーザーがコネクタを引き抜きたい時に非常に不便であり、極めて困難である。
【０００３】
本出願人は、イージー・ネットワークコネクタに関し先行技術として特許文献１(日本実用新案）として提案し、既に、特許文献１のように実用化されている。
【先行技術文献】
【特許文献】
【０００４】
【特許文献１】実用新案登録第３１８７０６６号
【考案の概要】
【考案が解決しようとする課題】
【０００５】
解決しようとする問題点として、上記先行技術の考案は、部品が多く、且つバネを設置しなければならない点である。
【課題を解決するための手段】
【０００６】
本考案は、雄コネクタ本体及び該雄コネクタ本体と可動連接する保護カバーを含む。該雄コネクタ本体の一方の側(側部)は弾性係合爪を設置する。
その特徴として、該雄コネクタ本体の他方の側(側部)に接合した支持フレームは弾性係合爪と掛合した可動係合部材を設置する。該保護カバーは後ろ向きに引くと可動係合部材が動いて回転し弾性係合爪を押す。そして、簡単に該イージー・ネットワークコネクタを抜き出す。ユーザーが保護カバーを緩めると、弾性係合爪の弾性によって力が回復し、保護カバーを元の位置に戻す。
本考案の部品は更に簡単であり、操作が簡単で素早く実用性がある。更に、使用者が選択できる工具を用い、更に省力的で簡単に該イージー・ネットワークコネクタを抜き出すことを最も主要な特徴とする。
【考案の効果】
【０００７】
本考案のイージー・ネットワークコネクタは、保護カバーは後ろ向きに引くと可動係合部材が動いて回転し弾性係合爪を押し、簡単に該イージー・ネットワークコネクタを抜き出し、ユーザーが保護カバーを緩めると、弾性係合爪の弾性によって力が回復し、保護カバーを元の位置に戻すようにしたので、操作が簡単で素早くでき、更に、ユーザーが選択して使用する工具を用い、楽に抜き出しできるので、部品が簡単でバネを設置する必要がないという利点がある。
【図面の簡単な説明】
【０００８】
【図１】本考案の実施例の外観立体図である。
【図２】本考案の実施例の断面図である。
【図３】本考案の実施例の保護カバーを後方へ引いた断面図である。
【図４】本考案の実施例の保護カバーを後方へ引いた外観立体である。
【図５】本考案の実施例の可動係合部材、支持フレームと保護カバーの立体分解図である。
【図６】本考案の実施例の工具の立体図である。
【図７】本考案の実施例の工具を選択使用した断面指示図である。
【図８】本考案の実施例の工具を選択使用し、工具によって保護カバーを後方へ引いた断面指示図である。
【考案を実施するための形態】
【０００９】
従来の技術のコネクタに存在する欠点を解決し、抜き出しを簡易にする目的を達成するイージー・ネットワークコネクタを提供することを本考案の主な目的とする。
【００１０】
更にユーザーが選択して使用するための工具を提供し、保護カバーを更に力をかけずに後方へ引き、楽に抜き出すイージー・ネットワークコネクタを提供することを本考案の次の目的とする。  
【実施例】
【００１１】
図１〜図２、図５に示すとおり、本考案のイージー・ネットワークコネクタは、雄コネクタ本体１及び該雄コネクタ本体１と可動連接する保護カバー２を含む。そのうち、雄コネクタ本体１は、ケーブル８の一端と電気連接し、且つ該雄コネクタ本体１の一方の側(側部)は弾性係合爪３を設置する。該雄コネクタ本体１の他方の側(側部)は支持フレーム５(図２、図５を参照)を接合し、該支持フレーム５は、前述の保護カバー２を可動連接するのに用い、該保護カバー２はケーブル８の他端から抜き出る。
【００１２】
特徴として、該支持フレーム５は、弾性係合爪３と掛合する可動係合部材４を設置し、該可動係合部材４は、軸７と該支持フレーム５に設置された枢設槽５１(図４、図５を参照)によって可動連接し、前述の保護カバー２は該可動係合部材４の下方部４１に連動する連動部２３(参考図２、図３)を設置する。
【００１３】
本考案イージー・ネットワークコネクタを母体から抜き出す必要がある時、ユーザーは保護カバー２を後ろ向きに引くだけで、保護カバー２の連動部２３によって可動係合部材４が動いて回転し、該可動係合部材４の上方部４２が弾性係合爪３(図３、図４を参照)を下へ押圧し、弾性係合爪３と母体の掛合力が小さくなり、簡単に抜き出る。またユーザーが保護カバー２を緩めると、弾性係合爪３の弾性力によって回復し、保護カバー２を自動で元の位置に回復させる(参考図１、図２)。
【００１４】
更に、前述イージー・ネットワークコネクタは、更にユーザーに選択使用させる工具９(別参考図６)を含む。該工具９は手で握りやすくするためのハンドル部９１を備え、且つ該工具９の一端は相対する両壁面９２(図６を参照)を備え、且つ該両壁面９２はそれぞれ一もしくは一以上の係止部９２１(図６〜図８を参照)を設置して前述保護カバー２両側に元々設置した凹槽２５(図５、図７、図８を参照)内に対応挿入するか、もしくは前述の保護カバー２と合わせて設置した凹槽(図未提示)に対応挿入する。更に保護カバー２(図７を参照)は該工具９によって更に省力化され、且つ更に便利に保護カバー２を後方へ引く(図８を参照)。
【００１５】
本考案は、更に簡単な部品を採用し、且つバネは不要であり、簡単に抜き出すことができる。
【００１６】
本考案のイージー・ネットワークコネクタは実用性を備え、且つ操作が便利でスピーディである。人の手で雄コネクタ本体１上の弾性係合爪３が届きにくい状況時、本考案のイージー・ネットワークコネクタを抜き出ことが便利となる。
【００１７】
本考案イージー・ネットワークコネクタは、保護カバー２を前進及び後退で制御することで、可動係合部材４の回転を制御し、雄コネクタ本体１の一方の側の弾性係合爪３を上に上げたり下に押圧したりでき、ユーザーはただ保護カバー２を後方へ引くだけで、弾性係合爪３を下へ押圧し、簡単に本考案イージー・ネットワークコネクタを抜き出し、操作が便利且つスピーディで、更に、工具９を選択使用することで、更に省力的に該イージー・ネットワークコネクタを抜き出す。
【００１８】
本考案のイージー・ネットワークコネクタの実施例は、保護カバーは後ろ向きに引くと可動係合部材が動いて回転し弾性係合爪を押し、簡単に該イージー・ネットワークコネクタを抜き出し、ユーザーが保護カバーを緩めると、弾性係合爪の弾性によって力が回復し、保護カバーを元の位置に戻すようにしたので、操作が簡単で素早くでき、更に、ユーザーが選択して使用する工具を用い、楽に抜き出しできるので、部品が簡単でバネを設置する必要がないという利点がある。
なお、本考案の特徴を損うものでなければ、上記の実施例に限定されるものでないことは勿論である。
【符号の説明】
【００１９】
１        雄コネクタ本体
２        保護カバー
２３        連動部  
２５        凹槽
３        弾性係合爪
４        可動係合部材
４１        下方部
４２        上方部
５        支持フレーム
５１        枢設槽
７        軸
８        ケーブル
９        工具
９１        ハンドル部
９２        壁面
９２１        係止部
【図１】
0003194922.tif 000003
【図２】
0003194922.tif 000004
【図３】
0003194922.tif 000005
【図４】
0003194922.tif 000006
【図５】
0003194922.tif 000007
【図６】
0003194922.tif 000008
【図７】
0003194922.tif 000009
【図８】
0003194922.tif 000010